(57)【要約】【課題】使用者の体格や座り方の癖が異なった場合であっても、正確な体重測定を行うことができる便座装置を提供する。【解決手段】便座の支持脚部にかかる荷重を検出する荷重センサと、制御部と、記憶部と、を備え、制御部は、登録モードと通常使用モードとを有し、登録モードは、使用者の全体重に関する第１荷重値を取得する第１工程と、使用者が便座に着座した着座荷重に関する第２荷重値を測定する第２工程と、第１荷重値と第２荷重値とを基に、着座荷重から使用者の全体重を推定するための推定値を求め、推定値を記憶部に記憶させる第３工程と、を有し、通常使用モードは、使用者が便座に着座した着座荷重に関する第３荷重値を測定する第４工程と、推定値と第３荷重値とに基づいて、使用者の全体重に関する第４荷重値を推定する第５工程と、を有することを特徴とする便座装置である。【選択図】図１
2019168443.tif 000002
【特許請求の範囲】
【請求項１】
本体部と、
前記本体部に対して回動可能に軸支され、使用者が着座する着座部と、前記着座部にかかる荷重を支持する支持脚部と、を有する便座と、
前記支持脚部に設けられ、前記支持脚部にかかる荷重を検出する荷重センサと、
前記荷重センサの検出結果を基に、使用者の体重測定を行う制御部と、
記憶部と、
を備え、
前記制御部は、前記体重測定において登録モードと通常使用モードとを有し、
前記登録モードは、
使用者の全体重に関する第１荷重値を取得する第１工程と、
使用者が前記便座に着座した状態において、前記荷重センサによって検出された着座荷重に関する第２荷重値を測定する第２工程と、
前記第１荷重値と前記第２荷重値とを基に、前記着座荷重から使用者の全体重を推定するための推定値を求め、前記推定値を前記記憶部に記憶させる第３工程と、
を有し、
前記通常使用モードは、
使用者が前記便座に着座した状態において、前記荷重センサによって検出された着座荷重に関する第３荷重値を測定する第４工程と、
前記推定値と前記第３荷重値とに基づいて、使用者の全体重に関する第４荷重値を推定する第５工程と、
を有することを特徴とする便座装置。
【請求項２】
前記便座に着座した使用者の着座姿勢を測定する姿勢測定部をさらに備え、
前記第２工程は、使用者が前記便座に着座して着座姿勢を変化させた状態において、前記荷重センサ及び前記姿勢測定部によって検出された複数の着座姿勢毎の着座荷重に関する複数の前記第２荷重値を測定し、
前記第３工程は、前記第１荷重値と複数の前記第２荷重値とを基に、前記複数の着座姿勢毎の前記着座荷重から使用者の全体重を推定するための複数の前記推定値を求め、複数の前記推定値を前記記憶部に記憶させ、
前記第４工程は、使用者が前記便座に着座した状態において、前記荷重センサによって検出された着座荷重に関する前記第３荷重値と、前記姿勢測定部によって検出された着座姿勢と、を測定し、
前記第５工程は、複数の前記推定値と前記第３荷重値と前記第４工程において測定された着座姿勢とに基づいて、使用者の全体重に関する第４荷重値を推定することを特徴とする請求項１記載の便座装置。
【請求項３】
前記荷重センサは、複数設けられ、
前記姿勢測定部は、前記複数の荷重センサの荷重分布に基づいて、前記着座姿勢を測定することを特徴とする請求項２記載の便座装置。
【請求項４】
前記複数の荷重センサの少なくと１つは、前記便座の前方側に設けられ、
前記複数の荷重センサの別の少なくと１つは、前記便座の後方側に設けられ、
前記姿勢測定部は、前方側に設けられた前記少なくとも１つの荷重センサの検出値と、後方側に設けられた前記別の少なくとも１つの荷重センサの検出値と、の比率に応じて、前記着座姿勢を測定することを特徴とする請求項３記載の便座装置。
【請求項５】
使用者を識別する使用者識別部をさらに備え、
前記制御部は、識別された使用者毎に前記登録モードの動作を実行し、
前記記憶部は、識別された使用者毎に前記推定値を記憶し、
前記制御部は、前記通常使用モードにおいて、識別された使用者毎の前記推定値を使用することを特徴とする請求項１〜４のいずれか１つに記載の便座装置。
【請求項６】
前記制御部は、前記登録モードの動作を実行した後、前記登録モードの動作を再度実行することにより、前記推定値を更新可能であることを特徴とする請求項１〜５のいずれか１つに記載の便座装置。
【請求項７】
前記登録モードの動作の実行を前記制御部に指示するための操作部をさらに備え、
前記制御部は、前記操作部の操作に応じた任意のタイミングで前記登録モードの動作を実行可能であることを特徴とする請求項１〜６のいずれか１つに記載の便座装置。
【請求項８】
前記制御部は、所定の条件を満たした場合に、前記登録モードの動作を自動的に実行することを特徴とする請求項１〜７のいずれか１つに記載の便座装置。
【請求項９】
所定の報知を行う報知部をさらに備え、
前記制御部は、所定の条件を満たした場合に、前記登録モードの動作の実行を前記報知部から報知することを特徴とする請求項７記載の便座装置。
【請求項１０】
前記登録モードの動作を実行してから経過した時間を計時する計時部をさらに備え、
前記制御部は、前記計時部によって計時された時間が所定時間以上となった場合に、前記所定の条件を満たしたと判断することを特徴とする請求項８又は９に記載の便座装置。
【請求項１１】
前記登録モードの動作を実行した後に実行された前記通常使用モードの動作の回数をカウントするカウンタをさらに備え、
前記制御部は、前記カウンタによってカウントされた前記回数が所定回数以上となった場合に、前記所定の条件を満たしたと判断することを特徴とする請求項８〜１０のいずれか１つに記載の便座装置。
【請求項１２】
前記制御部は、前記第１工程において前記第１荷重値を前記記憶部に記憶させ、前記通常使用モードにおいて推定された前記第４荷重値が、前記記憶部に記憶された前記第１荷重値から所定値以上離れた場合に、前記所定の条件を満たしたと判断することを特徴とする請求項８〜１１のいずれか１つに記載の便座装置。
【請求項１３】
所定の報知を行う報知部をさらに備え、
前記制御部は、前記通常使用モードにおいて、推定された前記第４荷重値を前記記憶部に記憶させるとともに、推定された前記第４荷重値が、前記記憶部に記憶されている前回の前記第４荷重値から所定値以上離れた場合に、前記報知部から報知を行うことを特徴とする請求項１〜１２のいずれか１つに記載の便座装置。
【発明の詳細な説明】
【技術分野】
【０００１】
本発明の態様は、一般的に、便座装置に関する。
【背景技術】
【０００２】
従来から、腰掛け大便器の上部に設けられる便座を利用して、使用者の体重を測定可能な便座装置が知られている。体重を測定可能な便座装置は、一般の体重計と比較し、収納するためのスペースを必要とせず、測定の度に収納場所から出し入れする手間もかからない。さらに、腰掛け大便器は、使用者が日々使用する可能性の高いものであるため、意識することなく継続して日々の体重管理を行うこともできる。
【先行技術文献】
【特許文献】
【０００３】
【特許文献１】特公平６−８５４８号公報
【特許文献２】特開平９−１１９８５９号公報
【発明の概要】
【発明が解決しようとする課題】
【０００４】
簡易的な構成により便座装置で体重を測定可能とするためには、便座の支持脚部に荷重センサを設けることが好ましい（例えば、特許文献１）。便座の支持脚部に設けた荷重センサによって、使用者の体重を正確に測定するためには、便座の支持脚部に使用者の全体重がかかる必要がある。しかしながら、便座装置では、例えば、トイレ室の床に使用者の足が着いてしまう可能性があり、トイレ室の床に使用者の足が着いてしまうと、使用者の体重が足を介して床に分散してしまうため、使用者の全体重が便座にかからなくなってしまう。また、便座は、本体部に対して回動可能に軸支されているため、回動軸部からも使用者の体重が逃げてしまい、使用者の全体重が便座の支持脚部にかからなくなってしまう。
【０００５】
そこで、体重測定の前に、便座以外の部分にかかる体重相当分の重量を実験などで予め求めておき、便座が測定した着座荷重に対して、その体重相当分の重量を割増しする便座装置も知られている（例えば、特許文献２）。
【０００６】
しかしながら、本願発明者は、トイレ室の床や便座の回動軸部に分散する使用者の体重は、使用者の体格や座り方の癖などによって大きく異なるため、実験などで求めた値を全ての使用者に対して一様に用いることが難しいことを見出した。
【０００７】
本発明は、かかる課題の認識に基づいてなされたものであり、便座の支持脚部に荷重センサを設けた場合において、使用者の体格や座り方の癖が異なった場合であっても、正確な体重測定を行うことができる便座装置を提供することを目的とする。
【課題を解決するための手段】
【０００８】
第１の発明は、本体部と、前記本体部に対して回動可能に軸支され、使用者が着座する着座部と、前記着座部にかかる荷重を支持する支持脚部と、を有する便座と、前記支持脚部に設けられ、前記支持脚部にかかる荷重を検出する荷重センサと、前記荷重センサの検出結果を基に、使用者の体重測定を行う制御部と、記憶部と、を備え、前記制御部は、前記体重測定において登録モードと通常使用モードとを有し、前記登録モードは、使用者の全体重に関する第１荷重値を取得する第１工程と、使用者が前記便座に着座した状態において、前記荷重センサによって検出された着座荷重に関する第２荷重値を測定する第２工程と、前記第１荷重値と前記第２荷重値とを基に、前記着座荷重から使用者の全体重を推定するための推定値を求め、前記推定値を前記記憶部に記憶させる第３工程と、を有し、前記通常使用モードは、使用者が前記便座に着座した状態において、前記荷重センサによって検出された着座荷重に関する第３荷重値を測定する第４工程と、前記推定値と前記第３荷重値とに基づいて、使用者の全体重に関する第４荷重値を推定する第５工程と、を有することを特徴とする便座装置である。
【０００９】
この便座装置によれば、登録モードにおいて、全体重を推定するための推定値を、予め求められた一般的な実験値ではなく使用者の着座荷重と全体重とに基づいて求めて記憶しているため、使用者の体格や座り方の癖を考慮して、床や回動軸部に分散する荷重を推定することができ、より正確な全体重を推定することができる。
【００１０】
第２の発明は、第１の発明において、前記便座に着座した使用者の着座姿勢を測定する姿勢測定部をさらに備え、前記第２工程は、使用者が前記便座に着座して着座姿勢を変化させた状態において、前記荷重センサ及び前記姿勢測定部によって検出された複数の着座姿勢毎の着座荷重に関する複数の前記第２荷重値を測定し、前記第３工程は、前記第１荷重値と複数の前記第２荷重値とを基に、前記複数の着座姿勢毎の前記着座荷重から使用者の全体重を推定するための複数の前記推定値を求め、複数の前記推定値を前記記憶部に記憶させ、前記第４工程は、使用者が前記便座に着座した状態において、前記荷重センサによって検出された着座荷重に関する前記第３荷重値と、前記姿勢測定部によって検出された着座姿勢と、を測定し、前記第５工程は、複数の前記推定値と前記第３荷重値と前記第４工程において測定された着座姿勢とに基づいて、使用者の全体重に関する第４荷重値を推定することを特徴とする便座装置である。
【００１１】
この便座装置によれば、登録モードにおいて、全体重を推定するための推定値を、使用者の着座姿勢毎の着座荷重と全体重とに基づいて求めて記憶しているため、使用者の着座姿勢を考慮して、床や回動軸部に分散する荷重を推定することができ、より正確な全体重を推定することができる。
【００１２】
第３の発明は、第２の発明において、前記荷重センサは、複数設けられ、前記姿勢測定部は、前記複数の荷重センサの荷重分布に基づいて、前記着座姿勢を測定することを特徴とする便座装置である。
【００１３】
この便座装置によれば、着座姿勢を測定するための専用のセンサを設けることなく、体重を測定するために設けられた荷重センサによって着座姿勢を測定できるため、便座装置の構成を簡素化することができる。
【００１４】
第４の発明は、第３の発明において、前記複数の荷重センサの少なくと１つは、前記便座の前方側に設けられ、前記複数の荷重センサの別の少なくと１つは、前記便座の後方側に設けられ、前記姿勢測定部は、前方側に設けられた前記少なくとも１つの荷重センサの検出値と、後方側に設けられた前記別の少なくとも１つの荷重センサの検出値と、の比率に応じて、前記着座姿勢を測定することを特徴とする便座装置である。
【００１５】
この便座装置によれば、複数の荷重センサによって、より正確な着座姿勢を測定することができる。
【００１６】
第５の発明は、第１〜第４のいずれか１つの発明において、使用者を識別する使用者識別部をさらに備え、前記制御部は、識別された使用者毎に前記登録モードの動作を実行し、前記記憶部は、識別された使用者毎に前記推定値を記憶し、前記制御部は、前記通常使用モードにおいて、識別された使用者毎の前記推定値を使用することを特徴とする便座装置である。
【００１７】
この便座装置によれば、便座装置を利用する使用者毎に推定値を記憶するため、使用者毎に体格や座り方が異なったとしても、複数の使用者の全体重を正確に推定することができる。
【００１８】
第６の発明は、第１〜第５のいずれか１つの発明において、前記制御部は、前記登録モードの動作を実行した後、前記登録モードの動作を再度実行することにより、前記推定値を更新可能であることを特徴とする便座装置である。
【００１９】
使用者の全体重を推定する推定値は、使用者の体格の変化によって異なってしまう。そのため、子供の成長、ダイエット、又は肥満化などにより、大きな体格の変化があった場合には、以前に記憶された推定値では、全体重を正確に推定できなくなってしまう恐れが生じる。これに対して、この便座装置によれば、推定値を更新できるようにすることで、大きな体格の変化があった場合にも、推定値を更新することで、全体重を正確に推定することができる。
【００２０】
第７の発明は、第１〜第６のいずれか１つの発明において、前記登録モードの動作の実行を前記制御部に指示するための操作部をさらに備え、前記制御部は、前記操作部の操作に応じた任意のタイミングで前記登録モードの動作を実行可能であることを特徴とする便座装置である。
【００２１】
この便座装置によれば、任意のタイミングで登録モードを実行可能とすることで、より正確な全体重の推定値を、使用者の所望のタイミングで得ることができる。また、使用者の所望のタイミングで推定値を更新することができ、便座装置の利便性を向上させることができる。
【００２２】
第８の発明は、第１〜第７のいずれか１つの発明において、前記制御部は、所定の条件を満たした場合に、前記登録モードの動作を自動的に実行することを特徴とする便座装置である。
【００２３】
この便座装置によれば、推定値を定期的に最新の値に更新することができ、使用者の全体重をより正確に測定することができる。また、推定値の更新を忘れてしまうことを適切に抑制することができる。
【００２４】
第９の発明は、第７の発明において、所定の報知を行う報知部をさらに備え、前記制御部は、所定の条件を満たした場合に、前記登録モードの動作の実行を前記報知部から報知することを特徴とする便座装置である。
【００２５】
この便座装置によれば、推定値を定期的に最新の値に更新することができ、使用者の全体重をより正確に測定することができる。また、推定値の更新を忘れてしまうことを適切に抑制することができる。
【００２６】
第１０の発明は、第８又は第９の発明において、前記登録モードの動作を実行してから経過した時間を計時する計時部をさらに備え、前記制御部は、前記計時部によって計時された時間が所定時間以上となった場合に、前記所定の条件を満たしたと判断することを特徴とする便座装置である。
【００２７】
この便座装置によれば、所定時間が経過する毎に、推定値を更新することができる、あるいは更新の必要を使用者に意識させることができ、使用者の全体重をより正確に測定することができる。
【００２８】
第１１の発明は、第８〜第１０のいずれか１つの発明において、前記登録モードの動作を実行した後に実行された前記通常使用モードの動作の回数をカウントするカウンタをさらに備え、前記制御部は、前記カウンタによってカウントされた前記回数が所定回数以上となった場合に、前記所定の条件を満たしたと判断することを特徴とする便座装置である。
【００２９】
この便座装置によれば、使用者が便座装置を所定回数利用する毎に、推定値を更新することができる、あるいは更新の必要を使用者に意識させることができ、使用者の全体重をより正確に測定することができる。
【００３０】
第１２の発明は、第８〜第１１のいずれか１つの発明において、前記制御部は、前記第１工程において前記第１荷重値を前記記憶部に記憶させ、前記通常使用モードにおいて推定された前記第４荷重値が、前記記憶部に記憶された前記第１荷重値から所定値以上離れた場合に、前記所定の条件を満たしたと判断することを特徴とする便座装置である。
【００３１】
この便座装置によれば、使用者の体格が所定値以上変化した際に、推定値を更新することができる、あるいは更新の必要を使用者に意識させることができ、使用者の全体重をより正確に測定することができる。
【００３２】
第１３の発明は、第１〜第１２のいずれか１つの発明において、所定の報知を行う報知部をさらに備え、前記制御部は、前記通常使用モードにおいて、推定された前記第４荷重値を前記記憶部に記憶させるとともに、推定された前記第４荷重値が、前記記憶部に記憶されている前回の前記第４荷重値から所定値以上離れた場合に、前記報知部から報知を行うことを特徴とする便座装置である。
【００３３】
前回の使用時から全体重の推定値が大きく変化した場合には、使用者の全体重が本当に変化したのではなく、使用者の姿勢が登録モードの実行時と大幅に異なる姿勢であった可能性がある。そこで、この便座装置では、推定された第４荷重値が、記憶部に記憶されている前回の第４荷重値から所定値以上離れた場合に、報知部から報知を行う。例えば、着座姿勢を直すように報知したり、測定エラーであることを報知したりし、使用者に再測定を促す。これにより、姿勢の変化などによる測定誤差の発生を抑制し、使用者の全体重をより正確に測定することができる。
【発明の効果】
【００３４】
本発明の態様によれば、便座の支持脚部に荷重センサを設けた場合において、使用者の体格や座り方の癖が異なった場合であっても、正確な体重測定を行うことができる便座装置が提供される。
【図面の簡単な説明】
【００３５】
【図１】第１の実施の形態にかかる便座装置を備えたトイレ装置を模式的に表す斜視図である。
【図２】図２（ａ）及び図２（ｂ）は、第１の実施形態に係る便座装置を模式的に表す側面図及び底面図である。
【図３】第１の実施形態に係る便座装置を模式的に表すブロック図である。
【図４】図４（ａ）及び図４（ｂ）は、着座荷重の特性の一例を模式的に表すグラフ図である。
【図５】第１の実施形態に係る便座装置の動作の一例を模式的に表すフローチャートである。
【図６】第１の実施形態に係る便座装置の登録モードの動作の一例を模式的に表すフローチャートである。
【図７】図７（ａ）及び図７（ｂ）は、登録モードにおける使用者の動作の一例を模式的に表す説明図である。
【図８】第１の実施形態に係る便座装置の通常使用モードの動作の一例を模式的に表すフローチャートである。
【図９】第１の実施形態に係る便座装置の着座姿勢矯正モードの動作の一例を模式的に表すフローチャートである。
【図１０】第１の実施形態に係る便座装置の自動再登録モードの動作の一例を模式的に表すフローチャートである。
【図１１】第１の実施形態に係る便座装置の手動再登録モードの動作の一例を模式的に表すフローチャートである。
【図１２】第２の実施形態に係る便座装置の登録モードの動作の一例を模式的に表すフローチャートである。
【図１３】図１３（ａ）〜図１３（ｃ）は、登録モードにおける使用者の動作の一例を模式的に表す説明図である。
【図１４】推定値の計算方法の一例を模式的に表す説明図である。
【図１５】推定値の計算方法の一例を模式的に表す説明図である。
【図１６】推定値の計算方法の変形例を模式的に表す説明図である。
【発明を実施するための形態】
【００３６】
以下、本発明の実施の形態について図面を参照しつつ説明する。なお、各図面中、同様の構成要素には同一の符号を付して詳細な説明は適宜省略する。  
（第１の実施形態）  
図１は、第１の実施の形態にかかる便座装置を備えたトイレ装置を模式的に表す斜視図である。  
図１に表したように、トイレ装置２は、腰掛け大便器（以下説明の便宜上、単に「便器」と称する）４と、便座装置１０と、を備える。便座装置１０は、便器４の上部に設置される。便座装置１０は、便器４に対して一体的に取り付けてもよいし、便器４に対して着脱可能に取り付けてもよい。
【００３７】
便座装置１０は、本体部１２と、便座１４と、便蓋１６と、を備える。便蓋１６は、便座装置１０に必要に応じて設けられ、省略可能である。便座１４と便蓋１６とは、本体部１２に対して回転可能に軸支されている。
【００３８】
なお、本願明細書において、「上方」、「下方」、「前方」、「後方」、「左側方」及び「右側方」のそれぞれは、開いた便蓋１６に背を向けて便座１４に座った使用者から見た方向である。
【００３９】
便器４は、ボウル部４ａを有する。ボウル部４ａは、下方に凹む凹状である。便器４は、ボウル部４ａにおいて使用者の尿や便などの排泄物を受ける。便座装置１０の本体部１２は、便器４のボウル部４ａよりも後方の部分の上に取り付けられる。
【００４０】
使用者が着座するための便座１４は、ボウル部４ａを露呈させる開口部１４ａを有する。便座１４は、下げた状態において、ボウル部４ａの外縁を囲むように便器４の上に設けられ、開口部１４ａを介してボウル部４ａを露呈させる。これにより、使用者は、便座１４に座った状態でボウル部４ａに排泄を行うことができる。この例では、貫通孔状の開口部１４ａが形成された、いわゆるＯ字型の便座１４を示している。便座１４は、Ｏ字型に限ることなく、Ｕ字型などでもよい。開口部１４ａは、貫通孔状に限ることなく、切り欠き状でもよい。使用状態（使用者が着座可能な状態）の便座１４を上方から見た形状は、環状又はＵ字状である。
【００４１】
便座１４は、着座部１４ｂを有する。着座部１４ｂは、本体部１２に対して回動可能に軸支され、使用者が着座する部分である。開口部１４ａは、着座部１４ｂに設けられている。換言すれば、着座部１４ｂは、Ｏ字型あるいはＵ字型である。
【００４２】
着座部１４ｂは、回動軸部１４ｃを有し、回動軸部１４ｃを介して本体部１２に回動可能に軸支される。回動軸部１４ｃは、換言すれば、ヒンジ部である。着座部１４ｂは、例えば、一対の回動軸部１４ｃを有する。一対の回動軸部１４ｃは、着座部１４ｂの後端の左右方向の両端部に設けられる。本体部１２の一部は、一対の回動軸部１４ｃの間に入り込んでいる。これにより、一対の回動軸部１４ｃと、これらの間の本体部１２の一部と、が回転軸を介して回動可能に接続され、着座部１４ｂ（便座１４）が本体部１２に回動可能に軸支される。
【００４３】
なお、上記と反対に、着座部１４ｂの後端の中央付近に１つの回動軸部１４ｃを設け、この１つの回動軸部１４ｃを本体部１２で挟むことにより、着座部１４ｂ（便座１４）を本体部１２に回動可能に軸支させてもよい。
【００４４】
便座装置１０は、リモコン１８をさらに備える。リモコン１８は、例えば、複数のスイッチやセンサなどを有し、使用者からの操作指示を受け付ける。また、リモコン１８は、有線又は無線を介して本体部１２と接続され、使用者から入力された操作指示を本体部１２に送信する。本体部１２は、リモコン１８から入力された操作指示に応じて所定の動作を実行する。なお、本体部１２への操作指示の入力は、例えば、本体部１２に設けられた操作パネルなどを介して行ってもよい。すなわち、リモコン１８は、必要に応じて設けられ、省略可能である。
【００４５】
図２（ａ）及び図２（ｂ）は、第１の実施形態に係る便座装置を模式的に表す側面図及び底面図である。  
図２（ａ）及び図２（ｂ）に表したように、便座１４は、支持脚部１４ｄを有する。また、便座装置１０は、複数の荷重センサ２０ａ〜２０ｄをさらに備える。なお、図２（ａ）及び図２（ｂ）では、便宜的に便蓋１６の図示を省略している。
【００４６】
支持脚部１４ｄは、着座部１４ｂの底面に設けられ、着座部１４ｂにかかる荷重を支持する。より詳しくは、支持脚部１４ｄは、便座１４を下げ、便器４の上に載置された状態の便座１４に使用者などが着座した際に、着座部１４ｂにかかる荷重を支持する。便座１４は、例えば、複数の支持脚部１４ｄを有する。
【００４７】
便座１４は、例えば、４つの支持脚部１４ｄを有する。４つの支持脚部１４ｄのうち、２つの支持脚部１４ｄは、便座１４の前方側に設けられ、残りの２つの支持脚部１４ｄは、便座１４の後方側に設けられる。このように、複数の支持脚部１４ｄの少なくとも１つは、便座１４の前方側に設けられ、複数の支持脚部１４ｄの別の少なくとも１つは、便座１４の後方側に設けられる。なお、この例では、４つの支持脚部１４ｄを示しているが、支持脚部１４ｄの数は、４つに限ることなく、任意の数でよい。支持脚部１４ｄの数は、１つでもよい。
【００４８】
荷重センサ２０ａ〜２０ｄは、支持脚部１４ｄに設けられ、支持脚部１４ｄにかかる荷重を検出する。便座装置１０は、荷重センサ２０ａ〜２０ｄの検出値により、便座１４に着座した使用者の体重の測定を行えるようにする。
【００４９】
荷重センサ２０ａ〜２０ｄは、例えば、便座１４の支持脚部１４ｄと便器４の上面との間に挟み込まれることにより、支持脚部１４ｄにかかる荷重を検出する。荷重センサ２０ａ〜２０ｄには、例えば、圧電素子やひずみゲージなどが用いられる。但し、荷重センサ２０ａ〜２０ｄの構成は、上記に限るものではない。荷重センサ２０ａ〜２０ｄの構成は、支持脚部１４ｄにかかる荷重を検出可能な任意の構成でよい。
【００５０】
荷重センサ２０ａ〜２０ｄは、例えば、４つの支持脚部１４ｄのそれぞれに設けられる。荷重センサ２０ａ、２０ｂは、便座１４の前方側に設けられている。荷重センサ２０ｃ、２０ｄは、便座１４の後方側に設けられている。便座１４の前方側とは、例えば、便座１４の着座部１４ｂ（回動軸部１４ｃなどを除いた部分）の前後方向の長さの中央よりも前方側の部分である。荷重センサ２０ｃ、２０ｄの位置は、換言すれば、荷重センサ２０ａ、２０ｂよりも後方側の位置である。荷重センサ２０ｃ、２０ｄの位置は、荷重センサ２０ａ、２０ｂよりも後方側の任意の位置でよい。
【００５１】
また、荷重センサ２０ａ、２０ｃは、便座１４の左側に設けられ、荷重センサ２０ｂ、２０ｄは、便座１４の右側に設けられている。荷重センサ２０ａ、２０ｂは、例えば、便座１４の左右方向の中央を挟んで互いに左右対称となる位置に設けられる。同様に、荷重センサ２０ｃ、２０ｄは、例えば、便座１４の左右方向の中央を挟んで互いに左右対称となる位置に設けられる。
【００５２】
但し、荷重センサ２０ａ〜２０ｄの位置は、上記に限ることなく、支持脚部１４ｄにかかる荷重を適切に検出可能な任意の位置でよい。また、荷重センサの数は、４つに限ることなく、支持脚部１４ｄにかかる荷重を適切に検出可能な任意の数でよい。荷重センサの数は、１つでもよい。荷重センサの数は、必ずしも支持脚部１４ｄの数と同じでなくてもよい。荷重センサの数は、支持脚部１４ｄの数よりも多くてもよいし、少なくてもよい。
【００５３】
図３は、第１の実施形態に係る便座装置を模式的に表すブロック図である。  
図３に表したように、便座装置１０の本体部１２は、制御部３０と、記憶部３２と、送受信機３４と、局部洗浄部３６と、ノズル３８と、姿勢測定部４０と、全体重推定部４２と、計時部４４と、カウンタ４６と、を備える。また、便座装置１０のリモコン１８は、制御部５０と、記憶部５２と、送受信機５４と、表示部５６（報知部）と、スピーカ５８（報知部）と、操作部６０と、使用者識別部６２と、通信機６４と、を備える。
【００５４】
本体部１２の制御部３０は、便座装置１０の各部の動作を統括的に制御する。記憶部３２は、制御部３０と接続されている。記憶部３２は、例えば、制御部３０の制御に必要な各種のプログラムやデータなどを記憶する。制御部３０は、記憶部３２から各種のプログラムやデータなどを読み出すことにより、便座装置１０の各部を制御する。記憶部３２は、例えば、制御部３０に一体的に組み込まれていてもよい。
【００５５】
また、制御部３０は、荷重センサ２０ａ〜２０ｄと接続されている。荷重センサ２０ａ〜２０ｄは、荷重の検出値を制御部３０に入力する。制御部３０は、荷重センサ２０ａ〜２０ｄの検出結果を基に、使用者の体重測定を行う。記憶部３２は、制御部３０による体重測定の結果を記憶する。記憶部３２は、例えば、制御部３０によって測定された使用者の体重の情報を順次記憶する。これにより、使用者の日々の体重の変化などを管理することが可能になる。
【００５６】
リモコン１８の制御部５０は、リモコン１８の各部の動作を制御する。記憶部５２は、制御部５０と接続されている。制御部５０及び記憶部５２の構成は、制御部３０及び記憶部３２の構成と同様とすることができる。従って、制御部５０及び記憶部５２についての詳細な説明は、省略する。
【００５７】
送受信機３４は、リモコン１８の送受信機５４との信号の送受を行う。送受信機３４は、制御部３０と接続されている。送受信機３４は、制御部３０から入力された信号をリモコン１８の送受信機５４に送信するとともに、リモコン１８の送受信機５４から受信した信号を制御部３０に入力する。これにより、送受信機３４、５４を介して本体部１２とリモコン１８との通信が可能となる。送受信機３４、５４は、無線通信を行うものでもよいし、有線通信を行うものでもよい。なお、本体部１２からリモコン１８に信号を送信する必要がない場合には、送受信機３４、５４に代えて、本体部１２に受信機を設け、リモコン１８に送信機を設け、リモコン１８から本体部１２への信号の送信のみを行ってもよい。
【００５８】
リモコン１８に設けられた表示部５６及びスピーカ５８は、制御部５０に接続されている。表示部５６は、制御部５０の制御に基づいて、文字、図柄、あるいは映像などの所定の表示を行う。表示部５６には、例えば、液晶ディスプレイなどの任意の表示装置が用いられる。スピーカ５８は、制御部５０の制御に基づいて、所定の音声を出力する。表示部５６は、文字などの表示により、使用者などに対して所定の報知を行う。同様に、スピーカ５８は、音声の出力により、使用者などに対して所定の報知を行う。
【００５９】
このように、表示部５６及びスピーカ５８は、使用者などに対して所定の報知を行う報知部として機能する。但し、報知部は、表示部５６及びスピーカ５８に限ることなく、所定の報知が可能な任意の部材でよい。また、報知部は、リモコン１８に限ることなく、本体部１２などに設けてもよい。
【００６０】
操作部６０は、制御部５０に接続されている。操作部６０は、使用者の操作を受け付け、使用者の操作に応じた所定の操作指示を制御部５０に入力する。操作部６０は、例えば、スイッチやセンサなどの複数の操作部材を有し、各操作部材の操作に応じた複数の操作指示を制御部５０に入力する。なお、操作部６０は、リモコン１８に限ることなく、例えば、本体部１２などに設けてもよい。
【００６１】
本体部１２に設けられた局部洗浄部３６は、使用者の「おしり」などの局部に向けて洗浄水を吐水することにより、使用者の局部の洗浄を行う。局部洗浄部３６は、ノズル３８と接続されている。ノズル３８は、先端部に吐水口３８ａ、３８ｂを有する。また、局部洗浄部３６は、例えば、本体部１２内に収納された位置と、本体部１２から前方に突出し、ボウル部４ａ内に進出した位置と、にノズル３８を進退移動させる。なお、図１には、ノズル３８がボウル部４ａ内に進出した状態を表している。
【００６２】
局部洗浄部３６は、ノズル３８をボウル部４ａ内に進出させた状態で、吐水口３８ａ又は吐水口３８ｂから洗浄水を吐水することにより、使用者の局部を洗浄する。吐水口３８ａは、例えば、便座１４に座った女性の女性局部を洗浄するビデ洗浄吐水口である。吐水口３８ｂは、例えば、便座１４に座った使用者の「おしり」を洗浄するおしり洗浄吐水口である。なお、本願明細書において「水」という場合には、冷水のみならず、加熱されたお湯も含むものとする。
【００６３】
局部洗浄部３６は、制御部３０と接続されており、制御部３０の制御に基づいて使用者の局部の洗浄を行う。制御部３０は、例えば、リモコン１８から入力される操作指示に基づいて、局部洗浄部３６を動作させる。リモコン１８の操作部６０は、例えば、洗浄ボタンや停止ボタンなど、局部洗浄部３６の動作を操作するための操作部材を有する。制御部５０は、操作部６０から局部洗浄部３６を操作するための操作指示を入力されると、その操作指示を送受信機３４、５４を介して本体部１２の制御部３０に入力する。制御部３０は、入力された操作指示に応じて局部洗浄部３６の動作を制御する。これにより、使用者は、リモコン１８の操作部６０の操作に応じて、局部の洗浄を行うことができる。
【００６４】
姿勢測定部４０は、便座１４に着座した使用者の着座姿勢を測定する。姿勢測定部４０は、制御部３０と接続されている。姿勢測定部４０は、制御部３０の制御に基づいて使用者の着座姿勢を測定し、測定した着座姿勢を制御部３０に入力する。
【００６５】
姿勢測定部４０は、例えば、制御部３０から入力される荷重センサ２０ａ〜２０ｄの検出結果を基に、着座姿勢を測定する。姿勢測定部４０は、例えば、前方側の荷重センサ２０ａ、２０ｂの検出値が、後方側の荷重センサ２０ｃ、２０ｄの検出値よりも大きい場合、使用者が前傾の着座姿勢であると測定する。反対に、後方側の荷重センサ２０ｃ、２０ｄの検出値が、前方側の荷重センサ２０ａ、２０ｂの検出値よりも大きい場合、使用者が後傾の着座姿勢であると測定する。また、姿勢測定部４０は、例えば、左側の荷重センサ２０ａ、２０ｃの検出値が、右側の荷重センサ２０ｂ、２０ｄの検出値よりも大きい場合、使用者が左側に傾いた着座姿勢であると測定する。反対に、右側の荷重センサ２０ｂ、２０ｄの検出値が、左側の荷重センサ２０ａ、２０ｃの検出値よりも大きい場合、使用者が右側に傾いた着座姿勢であると測定する。
【００６６】
このように、姿勢測定部４０は、例えば、荷重センサ２０ａ〜２０ｄの検出値の比率によって、便座１４に着座した使用者の着座姿勢を測定する。但し、姿勢測定部４０の構成は、上記に限定されるものではない。姿勢測定部４０は、例えば、カメラによって使用者を撮影し、画像処理によって着座姿勢を測定する構成などでもよい。姿勢測定部４０の構成は、便座１４に着座した使用者の着座姿勢を測定可能な任意の構成でよい。
【００６７】
例えば、荷重センサ２０ａ〜２０ｄの検出結果を基に着座姿勢を測定する場合には、姿勢測定部４０は、図３に表したように、制御部３０と別に設けてもよいし、制御部３０に組み込まれていてもよい。換言すれば、制御部３０が、姿勢測定部４０として機能してもよい。また、例えば、姿勢測定部４０にカメラなどを用いる場合には、姿勢測定部４０は、本体部１２に限ることなく、リモコン１８に設けてもよいし、本体部１２やリモコン１８とは別にトイレ室の壁面などに取り付けてもよい。姿勢測定部４０は、本体部１２やリモコン１８と別体に構成され、有線や無線などを介して本体部１２又はリモコン１８と接続されるものでもよい。
【００６８】
また、姿勢測定部４０は、使用者の着座姿勢が所定の範囲内にあるか否かを測定可能である。姿勢測定部４０は、例えば、後方側に設けられた荷重センサ２０ｃ、２０ｄの検出値が、前方側に設けられた荷重センサ２０ａ、２０ｂの検出値よりも大きい時に、所定の範囲内であると測定する。そして、姿勢測定部４０は、例えば、後方側に設けられた荷重センサ２０ｃ、２０ｄの検出値が、前方側に設けられた荷重センサ２０ａ、２０ｂの検出値以下の時に、所定の範囲外であると測定する。また、姿勢測定部４０は、例えば、後方側に設けられた荷重センサ２０ｃ、２０ｄの検出値が、前方側に設けられた荷重センサ２０ａ、２０ｂの検出値よりも所定以上大きい時にも、所定の範囲外であると測定する。
【００６９】
すなわち、姿勢測定部４０は、後傾よりの着座姿勢の時に所定の範囲内と測定し、前傾よりの着座姿勢の時に所定の範囲外と測定する。そして、姿勢測定部４０は、過度に後傾の着座姿勢の時にも、所定の範囲外と測定する。例えば、過度に右側に傾いた時や過度に左側に傾いた時などに、所定の範囲外と測定してもよい。
【００７０】
姿勢測定部４０は、使用者の着座姿勢が所定の範囲内にあるか否かの測定結果を制御部３０に入力する。制御部３０は、姿勢測定部４０が所定の範囲内であると測定した時に、表示部５６及びスピーカ５８の少なくとも一方を用いることにより、所定の範囲内の着座姿勢を維持するように使用者に報知する。
【００７１】
全体重推定部４２は、荷重センサ２０ａ〜２０ｄによって検出された荷重を補正することで、使用者が便座１４に着座し、トイレ室の床に足を着いた状態の荷重（以下、着座荷重と称す）から、使用者の全体重を推定する。この際、全体重推定部４２は、姿勢測定部４０によって測定された使用者の着座姿勢に基づいて、補正の割合を変更する。
【００７２】
全体重推定部４２は、例えば、局部洗浄部３６の吐水中に、荷重センサ２０ａ〜２０ｄによって検出された荷重、及び姿勢測定部４０によって測定された使用者の着座姿勢に基づいて、使用者の全体重を推定する。但し、全体重推定部４２による使用者の全体重の推定のタイミングは、上記に限ることなく、任意のタイミングでよい。
【００７３】
全体重推定部４２は、例えば、制御部３０と接続されている。全体重推定部４２は、制御部３０から姿勢測定部４０の測定結果を入力され、制御部３０の制御に基づいて全体重の推定を行う。そして、全体重推定部４２は、推定した全体重を制御部３０に入力する。なお、全体重推定部４２は、図３に表したように、制御部３０と別に設けてもよいし、制御部３０に組み込まれていてもよい。換言すれば、制御部３０が、全体重推定部４２として機能してもよい。全体重推定部４２を制御部３０と別に設ける場合、全体重推定部４２は、本体部１２に限ることなく、リモコン１８などに設けてもよい。
【００７４】
また、全体重推定部４２は、姿勢測定部４０が所定の範囲内であると測定した時に、全体重の推定を実行し、姿勢測定部４０が所定の範囲外であると測定した時に、全体重の推定を実行しない。そして、全体重推定部４２は、所定の範囲内であると測定された時に、前方側に設けられた荷重センサ２０ａ、２０ｂの検出値と、後方側に設けられた荷重センサ２０ｃ、２０ｄの検出値と、の比率に応じて、補正の割合を変更する。
【００７５】
図４（ａ）及び図４（ｂ）は、着座荷重の特性の一例を模式的に表すグラフ図である。  図４（ａ）に表したように、全体重に対する着座荷重の比率は、所定の範囲内においては、使用者が後傾になるに従って大きくなる。また、着座荷重の変化の割合は、使用者が前傾になるほど大きくなる。これは、前傾になる程、床などにかかる荷重の比率が大きくなるためであると考えられる。一方で、使用者が過度に後傾になると、使用者の背中が便蓋１６や後方に設けられるタンクなどに接触し、全体重に対する着座荷重の比率が、再び小さくなってしまう可能性がある。
【００７６】
また、図４（ｂ）に表したように、全体重に対する着座荷重の比率は、所定の範囲内においては、使用者の着座位置が後ろ側になるに従って大きくなる。従って、全体重推定部４２は、所定の範囲内であると測定された時に、前方側に設けられた荷重センサ２０ａ、２０ｂの検出値と、後方側に設けられた荷重センサ２０ｃ、２０ｄの検出値と、の比率に応じて、補正の割合を変更する。
【００７７】
全体重推定部４２は、例えば、後方側に設けられた荷重センサ２０ｃ、２０ｄの検出値の比率が大きくなるに従って小さくなる補正係数を記憶している。全体重推定部４２は、荷重センサ２０ａ〜２０ｄの検出値に、この補正係数を乗算することにより、使用者の着座姿勢に基づいて補正の割合を変更しつつ、使用者の全体重を推定する。あるいは、後方側に設けられた荷重センサ２０ｃ、２０ｄの検出値の比率が大きくなるに従って小さくなる補正値を記憶させ、荷重センサ２０ａ〜２０ｄの検出値に、この補正値を加算することにより、使用者の全体重を推定する構成としてもよい。
【００７８】
本体部１２の制御部３０は、体重測定において登録モードと通常使用モードとを有する。登録モードは、第１工程と、第２工程と、第３工程と、を有する。第１工程は、使用者の全体重に関する第１荷重値を取得する工程である。第２工程は、使用者が便座１４に着座し、床に足を着いた状態において、荷重センサ２０ａ〜２０ｄによって検出された着座荷重に関する第２荷重値を測定する工程である。第３工程は、第１荷重値と第２荷重値とを基に、着座荷重から使用者の全体重を推定するための推定値を求め、推定値を記憶部３２に記憶させる工程である。
【００７９】
通常使用モードは、第４工程と、第５工程と、を有する。第４工程は、使用者が便座１４に着座し、床に足を着いた状態において、荷重センサ２０ａ〜２０ｄによって検出された着座荷重に関する第３荷重値を測定する工程である。第５工程は、推定値と第３荷重値とに基づいて、使用者の全体重に関する第４荷重値を推定する工程である。
【００８０】
また、制御部３０は、例えば、通常使用モードにおいて、推定された第４荷重値を記憶部３２に記憶させるとともに、推定された第４荷重値が、記憶部３２に記憶されている前回の第４荷重値から所定値以上離れた場合に、表示部５６及びスピーカ５８の少なくとも一方から報知する。
【００８１】
リモコン１８に設けられた使用者識別部６２は、使用者の識別を行う。使用者識別部６２は、例えば、第１使用者や第２使用者など、使用者の操作によって特定の使用者を選択するための選択部材を有する。選択部材は、例えば、ボタンやダイヤル式のスイッチなどである。使用者識別部６２は、使用者による選択部材の操作を基に、使用者を識別する。例えば、第１使用者のボタンが操作された場合には、使用者を第１使用者と識別し、第２使用者のボタンが操作された場合には、使用者を第２使用者と識別する。
【００８２】
使用者識別部６２は、制御部５０に接続されている。使用者識別部６２は、制御部５０に使用者の識別結果を入力する。制御部５０は、使用者識別部６２から識別結果を入力されると、その識別結果を送受信機３４、５４を介して本体部１２の制御部３０に入力する。
【００８３】
制御部３０は、入力された使用者の識別結果を基に、識別された使用者毎に登録モードの動作を実行する。記憶部３２は、識別された使用者毎に推定値を記憶する。そして、制御部３０は、通常使用モードにおいて、識別された使用者毎の推定値を使用する。これにより、異なる複数の使用者毎に体重測定を行うことができる。
【００８４】
なお、使用者識別部６２の構成は、上記に限定されるものではない。使用者識別部６２は、例えば、カメラによって使用者を撮影し、顔認証などによって使用者を識別する構成などでもよい。この場合、使用者識別部６２は、本体部１２に設けてもよいし、本体部１２及びリモコン１８とは別体に設けてもよい。あるいは、使用者識別部６２は、荷重センサ２０ａ〜２０ｄの検出値を基に、体重の大小などによって使用者を識別する構成などでもよい。この場合、使用者識別部６２は、制御部３０に組み込まれていてもよい。換言すれば、制御部３０が、使用者識別部として機能してもよい。使用者識別部６２の構成は、複数の使用者を適切に識別することができる任意の構成でよい。また、例えば、使用者識別部６２及び姿勢測定部４０のそれぞれにカメラを用いる場合などには、これらを兼用させてもよい。すなわち、１台のカメラを使用者識別部６２及び姿勢測定部４０として機能させてもよい。
【００８５】
制御部３０は、登録モードの動作を実行した後、登録モードの動作を再度実行することにより、推定値を更新可能である。操作部６０は、例えば、登録モードの動作の実行を制御部３０に指示するための操作部材を有する。制御部３０は、例えば、操作部６０の所定の操作部材の操作に応じた任意のタイミングで登録モードの動作を実行する。
【００８６】
また、制御部３０は、所定の条件を満たした場合に、登録モードの動作を自動的に実行する。又は、制御部３０は、所定の条件を満たした場合に、操作部６０の操作に基づく登録モードの動作の実行を表示部５６及びスピーカ５８の少なくとも一方から報知する。
【００８７】
本体部１２に設けられた計時部４４は、登録モードの動作を実行してから経過した時間を計時する。計時部４４は、例えば、登録モードの動作を実行してから経過した時間を複数の使用者毎に計時する。制御部３０は、計時部４４によって計時された時間が所定時間以上となった場合に、所定の条件を満たしたと判断し、登録モードの動作の実行又は登録モードの動作の実行の報知を行う。
【００８８】
本体部１２に設けられたカウンタ４６は、登録モードの動作を実行した後に実行された通常使用モードの動作の回数をカウントする。カウンタ４６は、例えば、通常使用モードの動作の回数を複数の使用者毎にカウントする。制御部３０は、カウンタ４６によってカウントされた回数が所定回数以上となった場合に、所定の条件を満たしたと判断し、登録モードの動作の実行又は登録モードの動作の実行の報知を行う。
【００８９】
また、制御部３０は、第１工程において第１荷重値を記憶部３２に記憶させる。そして、制御部３０は、通常使用モードにおいて推定された第４荷重値が、記憶部３２に記憶された第１荷重値から所定値以上離れた場合に、所定の条件を満たしたと判断し、登録モードの動作の実行又は登録モードの動作の実行の報知を行う。
【００９０】
このように、制御部３０は、登録モードの動作の実行からの所定時間の経過、登録モード実行後の通常使用モードの所定回数の実行、及び登録モード実行後の使用者の全体重の所定以上の増減のいずれかを満たした時に、所定の条件を満たしたと判断する。但し、所定の条件は、上記に限定されるものではない。所定の条件は、登録モードの動作を再度実行し、推定値を更新する必要が生じる任意の条件でよい。
【００９１】
リモコン１８に設けられた通信機６４は、無線又は有線を介して外部端末６と接続され、外部端末６との通信を行う。便座装置１０は、通信機６４を介して外部端末６と通信を行うことにより、外部端末６から使用者の全体重の情報を取得できるようにする。通信機６４は、制御部５０と接続されている。制御部５０は、通信機６４から入力された全体重の情報を送受信機３４、５４を介して本体部１２の制御部３０に入力する。外部端末６は、例えば、使用者のスマートフォン、通信機能を備えた体重計、又は医療機関に設置された端末などである。但し、外部端末６は、これらに限ることなく、使用者の全体重の情報を便座装置１０に入力可能な任意の端末でよい。また、通信機６４は、リモコン１８に限ることなく、本体部１２に設けてもよいし、本体部１２及びリモコン１８とは別体に設けてもよい。
【００９２】
図５は、第１の実施形態に係る便座装置の動作の一例を模式的に表すフローチャートである。  
図５に表したように、便座装置１０において使用者の体重測定を行う場合には、まず、使用者識別工程が実行される（図５のステップＳ１０１）。使用者は、便座装置１０で体重測定を行いたい場合、例えば、使用者識別部６２に設けられた選択部材を操作し、自身を選択する。これにより、使用者識別部６２によって使用者が識別され、その識別結果が制御部３０に入力される。例えば、顔認証などにより、使用者の操作を必要とすることなく、使用者のトイレ室への入室などに応じて、自動的に使用者が識別されるようにしてもよい。
【００９３】
制御部３０は、使用者の識別結果が入力されると、その使用者が、登録されている使用者か否かを判定する（図５のステップＳ１０２）。すなわち、制御部３０は、記憶部３２に推定値が記憶されている使用者か否かを判定する。
【００９４】
制御部３０は、登録されている使用者であると判定した場合、続いて、使用者が操作部６０を操作し、登録モードの動作の実行を選択したか否かを判定する（図５のステップＳ１０３）。
【００９５】
制御部３０は、登録されていない使用者であると判定した場合、又は、使用者から登録モードの動作の実行が選択された場合、登録モードの動作を実行する（図５のステップＳ１０４）。
【００９６】
一方、制御部３０は、登録されている使用者であり、かつ使用者から登録モードの動作の実行が選択されていない場合、通常使用モードの動作を実行する（図５のステップＳ１０５）。
【００９７】
図６は、第１の実施形態に係る便座装置の登録モードの動作の一例を模式的に表すフローチャートである。  
図７（ａ）及び図７（ｂ）は、登録モードにおける使用者の動作の一例を模式的に表す説明図である。  
図６に表したように、制御部３０は、登録モードの動作を開始すると、まず、使用者登録工程を実行する（図６のステップＳ２０１）。使用者登録工程では、例えば、使用者と使用者識別部６２の選択部材とが関連付けられて、使用者の登録が行われる。あるいは、顔認証の場合などには、使用者と、使用者の顔の情報とが関連付けられて、使用者の登録が行われる。登録された情報は、例えば、記憶部３２に記憶される。
【００９８】
制御部３０は、使用者を登録した後、全体重取得工程（第１工程）を実行する（図６のステップＳ２０２）。全体重取得工程では、例えば、図７（ａ）に表したように、便座１４に着座した使用者に、床から足を離した姿勢を取らせる。すなわち、便座１４に使用者の全体重がかかった姿勢を取らせる。制御部３０は、例えば、表示部５６及びスピーカ５８の少なくとも一方によって報知することにより、上記の姿勢を使用者に取らせる。そして、制御部３０は、この状態における荷重センサ２０ａ〜２０ｄの検出結果から使用者の全体重を測定することにより、使用者の全体重に関する第１荷重値を取得する。制御部３０は、第１荷重値を取得した後、表示部５６及びスピーカ５８の少なくとも一方によって報知することにより、図７（ｂ）に表したように、便座１４に着座した使用者に、床に足を着いた姿勢を取らせる。
【００９９】
使用者の全体重に関する第１荷重値は、上記の測定に限ることなく、例えば、外部端末６からの入力によって取得してもよい。あるいは、操作部６０の操作により、使用者に全体重の情報を入力させることによって取得してもよい。
【０１００】
制御部３０は、第１荷重値を取得した後、全体重登録工程を実行する（図６のステップＳ２０３）。全体重登録工程では、制御部３０は、全体重取得工程において取得した第１荷重値を記憶部３２に記憶させる。また、この際、制御部３０は、取得した第１荷重値、すなわち測定した全体重を表示部５６及びスピーカ５８の少なくとも一方によって使用者に報知してもよい。
【０１０１】
制御部３０は、第１荷重値を記憶部３２に記憶させた後、着座姿勢測定工程を実行する（図６のステップＳ２０４）。制御部３０は、床に足を着けて便座１４に着座した使用者の着座姿勢を姿勢測定部４０に測定させる。そして、制御部３０は、姿勢測定部４０の測定結果を基に、使用者の着座姿勢が所定の範囲内にあるか否かを判定する（図６のステップＳ２０５）。
【０１０２】
制御部３０は、使用者の着座姿勢が所定の範囲外であると判定した場合、姿勢測定部４０による着座姿勢の測定、及び着座姿勢が所定の範囲内か否かの判定を繰り返す。この際、制御部３０は、例えば、表示部５６及びスピーカ５８の少なくとも一方により、図７（ｂ）に表したように、床に足を着けて便座１４に着座し、かつ背筋を伸ばした正しい着座姿勢を取るように使用者に報知する。
【０１０３】
制御部３０は、使用者の着座姿勢が所定の範囲内であると判定した場合、続いて、着座荷重測定工程（第２工程）を実行する（図６のステップＳ２０６）。着座荷重測定工程では、制御部３０は、使用者が便座１４に着座し、床に足を着いた状態において、荷重センサ２０ａ〜２０ｄによって検出された着座荷重に関する第２荷重値を測定する。
【０１０４】
制御部３０は、第２荷重値を測定した後、全体重推定値取得工程（第３工程）を実行する（図６のステップＳ２０７）。全体重推定値取得工程では、制御部３０は、第１荷重値と第２荷重値とを基に、着座荷重から使用者の全体重を推定するための推定値を求め、推定値を記憶部３２に記憶させる。制御部３０は、例えば、第１荷重値から第２荷重値を減算した値を推定値として求める。これにより、以下の通常使用モードでは、着座荷重に推定値を加算することで、着座荷重から使用者の全体重を容易に推定することが可能となる。以上により、制御部３０は、登録モードの動作を終了する。
【０１０５】
図８は、第１の実施形態に係る便座装置の通常使用モードの動作の一例を模式的に表すフローチャートである。  
図８に表したように、制御部３０は、通常使用モードの動作を開始すると、まず、使用者識別工程を実行する（図８のステップＳ３０１）。制御部３０は、使用者識別部６２から入力される識別結果を基に、使用者を識別し、識別された使用者の推定値を記憶部３２から読み出す。このように、制御部３０は、通常使用モードにおいて、識別された使用者毎の推定値を使用する。
【０１０６】
制御部３０は、使用者を識別して、その使用者の推定値を読み出した後、着座姿勢測定工程を実行する（図８のステップＳ３０２）。通常使用モードでは、便座１４に着座した使用者に、床に足を着いた姿勢を取らせる（図７（ｂ）参照）。着座姿勢測定工程では、制御部３０は、床に足を着けて便座１４に着座した使用者の着座姿勢を姿勢測定部４０に測定させる。そして、制御部３０は、姿勢測定部４０の測定結果を基に、使用者の着座姿勢が所定の範囲内にあるか否かを判定する（図８のステップＳ３０３）。
【０１０７】
制御部３０は、使用者の着座姿勢が所定の範囲外であると判定した場合、姿勢測定部４０による着座姿勢の測定、及び着座姿勢が所定の範囲内か否かの判定を繰り返す。この際、制御部３０は、例えば、表示部５６及びスピーカ５８の少なくとも一方により、図７（ｂ）に表したように、床に足を着けて便座１４に着座し、かつ背筋を伸ばした正しい着座姿勢を取るように使用者に報知する。
【０１０８】
制御部３０は、使用者の着座姿勢が所定の範囲内であると判定した場合、表示部５６及びスピーカ５８の少なくとも一方を用いることにより、所定の範囲内の着座姿勢を維持するように使用者に報知する（図８のステップＳ３０４）。
【０１０９】
制御部３０は、着座姿勢の維持を使用者に報知した後、局部洗浄部３６が吐水中か否かを判定する（図８のステップＳ３０５）。換言すれば、制御部３０は、局部洗浄部３６（ノズル３８）から洗浄水を吐水するための操作指示が操作部６０から入力されたか否かを判定する。
【０１１０】
制御部３０は、吐水中であると判定した場合に、これに応答して着座荷重測定工程（第４工程）を実行する（図８のステップＳ３０６）。着座荷重測定工程では、制御部３０は、使用者が便座１４に着座し、床に足を着いた状態において、荷重センサ２０ａ〜２０ｄによって検出された着座荷重に関する第３荷重値を測定する。このように、制御部３０は、局部洗浄部３６の吐水中に、荷重センサ２０ａ〜２０ｄによって着座荷重を検出する。
【０１１１】
制御部３０は、第３荷重値を測定した後、全体重推定工程（第５工程）を実行する（図８のステップＳ３０７）。全体重推定工程では、制御部３０は、第３荷重値を基に、全体重推定部４２に使用者の全体重を推定させる。
【０１１２】
全体重推定部４２は、第３荷重値及び姿勢測定部４０によって測定された使用者の着座姿勢に基づいて、使用者の全体重を推定する。この際、全体重推定部４２は、姿勢測定部４０によって測定された使用者の着座姿勢に基づいて、補正の割合を変更する。換言すれば、全体重推定部４２は、使用者の着座姿勢に基づいて、第３荷重値を補正する。この後、制御部３０は、推定値と補正後の第３荷重値とに基づいて、使用者の全体重に関する第４荷重値を推定する。
【０１１３】
このように、制御部３０は、姿勢測定部４０によって測定された使用者の着座姿勢に基づいて、第３荷重値を補正しつつ、登録モードにおいて取得された推定値を基に、使用者の全体重に関する第４荷重値を推定する。これにより、使用者の全体重をより正確に測定することができる。
【０１１４】
制御部３０は、使用者の全体重を推定した後、推定された体重が登録モードで登録された体重（第１荷重値）に対して所定範囲内か否かを判定する（図８のステップＳ３０８）。制御部３０は、所定範囲外であると判定した場合、着座姿勢矯正モードの動作を実行する（図８のステップＳ３０９）。
【０１１５】
制御部３０は、所定範囲内であると判定した場合、続いて、推定された体重（補正後の第４荷重値）が登録モードで登録された全体重（第１荷重値）に対して所定範囲内か否かを判定する（図８のステップＳ３１０）。
【０１１６】
制御部３０は、所定範囲内であると判定した場合、続いて、計時部４４の計時を参照することにより、登録モードの動作を実行してから所定期間内か否かを判定する（図８のステップＳ３１１）。
【０１１７】
制御部３０は、所定範囲内であると判定した場合、続いて、カウンタ４６の回数を参照することにより、登録モードの動作を実行してから通常使用モードを実行した回数が所定回数以内か否かを判定する（図８のステップＳ３１２）。
【０１１８】
制御部３０は、所定範囲内であると判定した場合、全体重登録工程を実行する（図８のステップＳ３１３）。全体重登録工程では、制御部３０は、推定した全体重の情報（補正後の第４荷重値）を記憶部３２に記憶させる。また、この際、制御部３０は、取得した第４荷重値、すなわち測定した全体重を表示部５６及びスピーカ５８の少なくとも一方によって使用者に報知する。
【０１１９】
一方、制御部３０は、ステップＳ３１０〜Ｓ３１２のいずれかの処理において所定範囲外であると判定した場合、自動再登録モードの動作又は手動再登録モードの動作を実行する（図８のステップＳ３１４）。以上により、制御部３０は、通常使用モードの動作を終了する。
【０１２０】
なお、自動再登録モードの動作を実行するか、又は手動再登録モードの動作を実行するかは、例えば、操作部６０の操作などによって適宜選択できるようにすればよい。また、ステップＳ３１０〜Ｓ３１２の処理は、順不同であり、入れ替え可能である。
【０１２１】
図９は、第１の実施形態に係る便座装置の着座姿勢矯正モードの動作の一例を模式的に表すフローチャートである。  
図９に表したように、制御部３０は、着座姿勢矯正モードの動作を開始すると、まず、表示部５６及びスピーカ５８の少なくとも一方により、使用者に着座姿勢を直してもらうよう報知する（図９のステップＳ４０１）。このように、制御部３０は、通常使用モードにおいて、推定された全体重（第４荷重値）を記憶部３２に記憶させるとともに、推定された全体重が、記憶部３２に記憶されている前回の第４荷重値から所定値以上離れた場合に、表示部５６及びスピーカ５８の少なくとも一方の報知部から報知を行う。
【０１２２】
制御部３０は、報知を行った後、着座姿勢測定工程を実行する（図９のステップＳ４０２）。着座姿勢測定工程では、制御部３０は、床に足を着けて便座１４に着座した使用者の着座姿勢を姿勢測定部４０に測定させる。そして、制御部３０は、姿勢測定部４０の測定結果を基に、使用者の着座姿勢が所定の範囲内にあるか否かを判定する（図９のステップＳ４０３）。
【０１２３】
制御部３０は、使用者の着座姿勢が所定の範囲外であると判定した場合、着座姿勢を直してもらうための報知、姿勢測定部４０による着座姿勢の測定、及び着座姿勢が所定の範囲内か否かの判定を繰り返す。
【０１２４】
制御部３０は、使用者の着座姿勢が所定の範囲内であると判定した場合、着座荷重測定工程及び全体重推定工程の動作を再度実行する（図９のステップＳ４０４、Ｓ４０５）。着座荷重測定工程及び全体重推定工程の動作は、図８のステップＳ３０６、Ｓ３０７に関して説明した動作と実質的に同じであるから、詳細な説明は省略する。以上により、制御部３０は、着座姿勢矯正モードの動作を終了する。
【０１２５】
図１０は、第１の実施形態に係る便座装置の自動再登録モードの動作の一例を模式的に表すフローチャートである。  
図１０に表したように、制御部３０は、自動再登録モードの動作を開始すると、まず、表示部５６及びスピーカ５８の少なくとも一方により、使用者に登録モードを行うことを報知する（図１０のステップＳ５０１）。制御部３０は、例えば、図７（ａ）に表したように、便座１４に着座した使用者に、床から足を離した姿勢を取らせるように報知する。
【０１２６】
制御部３０は、報知を行った後、登録モードの動作を自動的に実行する（図１０のステップＳ５０２）。以上により、制御部３０は、自動再登録モードの動作を終了する。このように、制御部３０は、所定の条件を満たした場合に、登録モードの動作を自動的に実行する。この際、制御部３０は、例えば、荷重センサ２０ａ〜２０ｄの検出値の変化などに基づいて、使用者が床から足を離した姿勢を取ったか否かを判定し、使用者が床から足を離した姿勢を取ったと判定されたことに応答して、登録モードの動作を自動的に実行するようにしてもよい。
【０１２７】
図１１は、第１の実施形態に係る便座装置の手動再登録モードの動作の一例を模式的に表すフローチャートである。  
図１１に表したように、制御部３０は、手動再登録モードの動作を開始すると、まず、表示部５６及びスピーカ５８の少なくとも一方により、登録モードを再度行う必要があることを使用者に報知する（図１１のステップＳ６０１）。
【０１２８】
制御部３０は、報知を行った後、例えば、操作部６０の所定の操作部材の操作によって、使用者が登録モードの動作の実行を選択したか否かを判定する（図１１のステップＳ６０２）。そして、制御部３０は、使用者が登録モードの動作の実行を選択したことに応答して、登録モードの動作を実行する（図１１のステップＳ６０３）。以上により、制御部３０は、手動再登録モードの動作を終了する。このように、制御部３０は、所定の条件を満たした場合に、登録モードの動作の実行を表示部５６及びスピーカ５８の少なくとも一方の報知部から報知することもできる。
【０１２９】
以上、説明したように、本実施形態にかかる便座装置１０では、登録モードにおいて、全体重を推定するための推定値を、予め求められた一般的な実験値ではなく使用者の着座荷重と全体重とに基づいて求めて記憶しているため、通常使用モードにおいて使用者が毎回足を上げることなく、トイレ室の床に足を着けた状態で使用者の体格や座り方の癖を考慮した正確な全体重を推定することができる。
【０１３０】
また、便座装置１０では、便座装置１０を利用する使用者毎に推定値を記憶するため、使用者毎に体格や座り方が異なったとしても、複数の使用者の全体重を正確に推定することができる。
【０１３１】
使用者の全体重を推定する推定値は、使用者の体格の変化によって異なってしまう。そのため、子供の成長、ダイエット、又は肥満化などにより、大きな体格の変化があった場合には、以前に記憶された推定値では、全体重を正確に推定できなくなってしまう恐れが生じる。これに対して、この便座装置１０によれば、推定値を更新できるようにすることで、大きな体格の変化があった場合にも、推定値を更新することで、全体重を正確に推定することができる。
【０１３２】
また、便座装置１０では、操作部６０の操作に応じた任意のタイミングで登録モードを実行可能とすることで、より正確な全体重の推定値を、使用者の所望のタイミングで得ることができる。また、使用者の所望のタイミングで推定値を更新することができ、便座装置１０の利便性を向上させることができる。
【０１３３】
また、便座装置１０では、制御部３０が、所定の条件を満たした場合に、登録モードの動作を自動的に実行する。これにより、推定値を定期的に最新の値に更新することができ、使用者の全体重をより正確に測定することができる。また、推定値の更新を忘れてしまうことを適切に抑制することができる。
【０１３４】
また、便座装置１０では、制御部３０が、所定の条件を満たした場合に、登録モードの動作の実行を表示部５６及びスピーカ５８の少なくとも一方の報知部から報知する。これにより、推定値を定期的に最新の値に更新することができ、使用者の全体重をより正確に測定することができる。また、推定値の更新を忘れてしまうことを適切に抑制することができる。
【０１３５】
また、便座装置１０では、制御部３０が、計時部４４によって計時された時間が所定時間以上となった場合に、所定の条件を満たしたと判断する。これにより、所定時間が経過する毎に、推定値を更新することができる、あるいは更新の必要を使用者に意識させることができ、使用者の全体重をより正確に測定することができる。
【０１３６】
また、便座装置１０では、制御部３０が、カウンタ４６によってカウントされた回数が所定回数以上となった場合に、所定の条件を満たしたと判断する。これにより、使用者が便座装置１０を所定回数利用する毎に、推定値を更新することができる、あるいは更新の必要を使用者に意識させることができ、使用者の全体重をより正確に測定することができる。
【０１３７】
また、便座装置１０では、制御部３０が、通常使用モードにおいて推定された第４荷重値が、記憶部３２に記憶された第１荷重値から所定値以上離れた場合に、所定の条件を満たしたと判断する。これにより、使用者の体格が所定値以上変化した際に、推定値を更新することができる、あるいは更新の必要を使用者に意識させることができ、使用者の全体重をより正確に測定することができる。
【０１３８】
前回の使用時から全体重の推定値が大きく変化した場合には、使用者の全体重が本当に変化したのではなく、使用者の姿勢が登録モードの実行時と大幅に異なる姿勢であった可能性がある。そこで、この便座装置１０では、推定された第４荷重値が、記憶部３２に記憶されている前回の第４荷重値から所定値以上離れた場合に、表示部５６及びスピーカ５８の少なくとも一方の報知部から報知を行う。例えば、着座姿勢を直すように報知したり、測定エラーであることを報知したりし、使用者に再測定を促す。これにより、姿勢の変化などによる測定誤差の発生を抑制し、使用者の全体重をより正確に測定することができる。
【０１３９】
また、便座装置１０では、姿勢測定部４０によって使用者の着座姿勢を測定し、その測定された着座姿勢に応じて変動するトイレ室の床に分散する使用者の体重を考慮しつつ、全体重推定部４２が荷重センサ２０ａ〜２０ｄによって検出された荷重を補正するため、使用者の全体重を正確に推定することができる。
【０１４０】
全体重を正確に測定するために鋭意研究を続けた結果、本願発明者は、便座１４にかかる荷重から体重を測定する便座装置１０においては、全ての姿勢から正確な体重測定を行えるわけではないことを見出した。例えば、使用者の着座姿勢が極端な後傾姿勢であった場合、トイレ室の床からだけでなく、便座１４のヒンジの部分などからも使用者の体重が分散してしまう。また、使用者の着座姿勢が極端な前傾姿勢であった場合、床に分散する荷重の割合が増加してしまう。さらに、使用者が前傾姿勢をとって手摺りなどを掴んでいる場合には、手摺りなどからも使用者の体重が分散してしまう。これに対して、この便座装置１０では、使用者の着座姿勢が所定の範囲内にある時にだけ全体重の推定を実行する。これにより、使用者の全体重をより正確に測定することができる。
【０１４１】
本願発明者は、多くの試行の結果、全体重を正確に推定するために適した姿勢とは、荷重センサ２０ａ〜２０ｄに対して垂直方向に荷重が多くかかる姿勢であることを見出した。より具体的には、背筋をしっかり伸ばした状態で着座した姿勢であることを見出した。このような姿勢をしている場合、お尻から背中、頭に至るまでの着座荷重が後方側に設けられた荷重センサ２０ｃ、２０ｄに対してかかり、太腿の着座荷重が前方に設けられた荷重センサ２０ａ、２０ｂに対してかかるため、便座１４の後方に設けられた荷重センサ２０ｃ、２０ｄの検出値の方が、前方に設けられた荷重センサ２０ａ、２０ｂの検出値よりも大きくなる。そのため、この便座装置１０では、後方に設けられた荷重センサ２０ｃ、２０ｄの検出値の方が、前方に設けられた荷重センサ２０ａ、２０ｂの検出値よりも大きい着座姿勢が測定された時の着座荷重を用いて使用者の全体重を推定する。これにより、より正確な体重測定を行うことができる。
【０１４２】
また、便座装置１０では、前後に設けられた荷重センサ２０ａ〜２０ｄの検出値の比に応じて、使用者が前後に傾いた姿勢をしていることを判断することができる。そして、その姿勢の傾きに応じて、全体重を推定する際の荷重の補正の割合を変更することにより、より正確な体重測定を行うことができる。
【０１４３】
正確な体重測定を行うためには、所定期間に亘って使用者が所定の範囲内の着座姿勢を維持する必要がある。この便座装置１０では、姿勢測定部４０が所定の範囲内であると測定した時に、所定の範囲内の着座姿勢を維持するように使用者に報知する報知部（表示部５６、スピーカ５８）を備えることにより、着座姿勢の維持を使用者に促し、より正確な体重測定を行うことができる。
【０１４４】
本願発明者は、多くの試行の結果、全体重を測定するためには、着座姿勢だけでなく、着座位置も重要であることを見出した。そして、本願発明者は、毎回同じ位置を意識して着座することは難しいが、使用者が局部洗浄部３６を使用している時は、局部洗浄部３６から吐水される洗浄水の位置と局部の位置とを合わせるため、概ね同じ位置に着座することを発見した。この便座装置１０では、局部洗浄部３６の吐水中に、荷重センサ２０ａ〜２０ｄによって検出された荷重、及び姿勢測定部４０によって測定された使用者の着座姿勢に基づいて、使用者の全体重を推定する。これにより、使用者の着座位置のズレを抑制し、より正確な体重測定を行うことができる。
【０１４５】
なお、上記実施形態では、通常使用モードにおいて、局部洗浄部３６の吐水中に着座荷重測定工程（第４工程）を実行している。これに限ることなく、例えば、使用者の着座姿勢が所定の範囲内であると判定されたことに応答して、着座荷重測定工程を実行してもよい。
【０１４６】
また、上記実施形態では、全体重推定工程（第５工程）において、登録モードで取得された指令値を基に、使用者の全体重に関する第４荷重値を推定しつつ、姿勢測定部４０によって測定された使用者の着座姿勢に基づいて、第４荷重値をさらに補正することにより、使用者の全体重を推定している。全体重の推定は、これに限ることなく、指令値と第３荷重値とに基づく推定のみでもよいし、全体重推定部４２による着座荷重の補正に基づく推定のみでもよい。
【０１４７】
（第２の実施形態）  
図１２は、第２の実施形態に係る便座装置の登録モードの動作の一例を模式的に表すフローチャートである。  
図１３（ａ）〜図１３（ｃ）は、登録モードにおける使用者の動作の一例を模式的に表す説明図である。  
図１２に表したように、制御部３０は、登録モードの動作を開始すると、まず、使用者登録工程を実行する（図１２のステップＳ２１１）。使用者登録工程では、例えば、使用者と使用者識別部６２の選択部材とが関連付けられて、使用者の登録が行われる。あるいは、顔認証の場合などには、使用者と、使用者の顔の情報とが関連付けられて、使用者の登録が行われる。登録された情報は、例えば、記憶部３２に記憶される。
【０１４８】
制御部３０は、使用者を登録した後、全体重取得工程（第１工程）を実行する（図１２のステップＳ２１２）。全体重取得工程では、例えば、図１３（ａ）に表したように、体重計ＷＳなどによって使用者に全体重を測定させた後、外部端末６又はリモコン１８の操作部６０を介して使用者に全体重の情報を入力させる。
【０１４９】
これにより、制御部３０は、外部端末６又は操作部６０からの入力に基づいて、使用者の全体重に関する第１荷重値を取得する。例えば、通信機能を備えた体重計ＷＳを外部端末６とすることにより、体重計ＷＳでの全体重の測定に応じて、制御部３０に自動的に全体重の情報が入力されるようにしてもよい。
【０１５０】
制御部３０は、第１荷重値を取得した後、全体重登録工程を実行する（図１２のステップＳ２１３）。全体重登録工程では、制御部３０は、全体重取得工程において取得した第１荷重値を記憶部３２に記憶させる。
【０１５１】
制御部３０は、第１荷重値を記憶部３２に記憶させた後、第１着座荷重測定工程（第２工程）を実行する（図１２のステップＳ２１４）。第１着座荷重測定工程では、例えば、図１３（ｂ）に表したように、便座１４に着座した使用者に、床から足を離した第１着座姿勢を取らせる。
【０１５２】
第１着座姿勢は、例えば、図１３（ｂ）に表したように、後ろ側に傾いた後傾の姿勢である。第１着座姿勢は、換言すれば、足上げ後傾姿勢である。制御部３０は、例えば、表示部５６及びスピーカ５８の少なくとも一方によって報知することにより、上記の第１着座姿勢を使用者に取らせる。そして、制御部３０は、この状態において、荷重センサ２０ａ〜２０ｄによって検出された着座荷重に関する第２荷重値を測定するとともに、使用者の第１着座姿勢を姿勢測定部４０に測定させる。
【０１５３】
制御部３０は、第１着座姿勢における第２荷重値を測定した後、第２着座荷重測定工程（第２工程）を実行する（図１２のステップＳ２１５）。第２着座荷重測定工程では、例えば、図１３（ｃ）に表したように、便座１４に着座した使用者に、床から足を離した第２着座姿勢を取らせる。
【０１５４】
第２着座姿勢は、第１着座姿勢と異なる姿勢である。第２着座姿勢は、例えば、図１３（ｃ）に表したように、前側に傾いた前傾の姿勢である。第２着座姿勢は、換言すれば、足上げ前傾姿勢である。なお、上記と反対に、第１着座姿勢を足上げ前傾姿勢とし、第２着座姿勢を足上げ後傾姿勢としてもよい。
【０１５５】
制御部３０は、例えば、表示部５６及びスピーカ５８の少なくとも一方によって報知することにより、上記の第２着座姿勢を使用者に取らせる。そして、制御部３０は、この状態において、荷重センサ２０ａ〜２０ｄによって検出された着座荷重に関する第２荷重値を測定するとともに、使用者の第２着座姿勢を姿勢測定部４０に測定させる。
【０１５６】
このように、この例において、第２工程は、使用者が便座１４に着座して着座姿勢を変化させた状態において、荷重センサ２０ａ〜２０ｄ及び姿勢測定部４０によって検出された複数の着座姿勢毎の着座荷重に関する複数の第２荷重値を測定する。
【０１５７】
制御部３０は、複数の第２荷重値を測定した後、全体重推定値取得工程（第３工程）を実行する（図１２のステップＳ２１６）。全体重推定値取得工程では、制御部３０は、第１荷重値と複数の第２荷重値とを基に、複数の着座姿勢毎の着座荷重から使用者の全体重を推定するための複数の推定値を求め、複数の推定値を記憶部３２に記憶させる。以上により、制御部３０は、登録モードの動作を終了する。
【０１５８】
図１４及び図１５は、推定値の計算方法の一例を模式的に表す説明図である。  
図１４において、  
Ｍｇは、便座１４に着座した使用者の全体重を表す。  
Ｆ１は、前方側の荷重センサ２０ａ、２０ｂが支える荷重を表す。  
Ｆ２は、後方側の荷重センサ２０ｃ、２０ｄが支える荷重を表す。  
Ｆ３は、便座１４の回動軸部１４ｃが支える荷重を表す。  
Ｌ１は、前方側の荷重センサ２０ａ、２０ｂから体重の重心までの前後方向の距離を表す。  
Ｌ２は、前方側の荷重センサ２０ａ、２０ｂから後方側の荷重センサ２０ｃ、２０ｄまでの前後方向の距離を表す。  
Ｌ３は、前方側の荷重センサ２０ａ、２０ｂから便座１４の回動軸部１４ｃまでの前後方向の距離を表す。
【０１５９】
上記のうち、荷重Ｆ１、Ｆ２は、荷重センサ２０ａ〜２０ｄによって取得可能である。距離Ｌ２、Ｌ３は、便座１４を測定することによって取得可能である。また、登録モードにおいては、前述のように、全体重取得工程において全体重Ｍｇ（第１荷重値）が取得される。一方、荷重Ｆ３及び距離Ｌ１は、未知の変数である。
【０１６０】
全体重Ｍｇは、次の（１）式で表すことができる。  
Ｍｇ＝Ｆ１＋Ｆ２＋Ｆ３・・・（１）  
また、前方側の荷重センサ２０ａ、２０ｂ周りのモーメントのつり合いは、次の（２）式で表すことができる。  
Ｍｇ×Ｌ１＝Ｆ２×Ｌ２＋Ｆ３×Ｌ３・・・（２）  
上記（１）式及び（２）式から、距離Ｌ１は、次の（３）式で表すことができる。  
Ｌ１＝（Ｆ２×Ｌ２＋（Ｍｇ−Ｆ１−Ｆ２）×Ｌ３）／Ｍｇ・・・（３）  
制御部３０は、全体重推定値取得工程において、第１荷重値と複数の第２荷重値とを基に、上記の（３）式によって、第１着座姿勢の時の距離Ｌ１（以下、距離Ｌ１ａと称す）と、第２着座姿勢の時の距離Ｌ１（以下、距離Ｌ１ｂと称す）と、を複数の推定値として取得する。
【０１６１】
また、使用者の前傾及び後傾の具合（着座姿勢）は、前方側の荷重センサ２０ａ、２０ｂの荷重Ｆ１と後方側の荷重センサ２０ｃ、２０ｄの荷重Ｆ２との比率によって求めることができる。姿勢測定部４０は、次の（４）式で表される前荷重比Ｚを、着座姿勢として求める。  
Ｚ＝Ｆ１／（Ｆ１＋Ｆ２）・・・（４）  
姿勢測定部４０は、複数の第２荷重値を基に、上記の（４）式によって、第１着座姿勢の時の前荷重比Ｚ（以下、前荷重比Ｚａと称す）と、第２着座姿勢の時の前荷重比Ｚ（以下、前荷重比Ｚｂと称す）と、を求める。
【０１６２】
制御部３０は、全体重推定値取得工程において、距離Ｌ１ａ、Ｌ１ｂを複数の推定値として求めるとともに、前荷重比Ｚａ、Ｚｂを複数の推定値として求める。
【０１６３】
さらに、制御部３０は、図１５に表したように、求めた距離Ｌ１ａ、Ｌ１ｂ、及び前荷重比Ｚａ、Ｚｂを基に、前荷重比Ｚと距離Ｌ１との関係を表す検量線ＣＣを求める。制御部３０は、登録モードにおいて、使用者登録工程で登録された使用者毎に、上記の検量線ＣＣを求める。
【０１６４】
この例では、制御部３０は、通常使用モードの着座荷重測定工程（例えば、図８のステップＳ３０６）の際に、便座１４に着座した使用者に、床から足を離した姿勢を取らせる。この例の着座荷重測定工程では、制御部３０は、使用者が便座１４に着座し、床から足を離した状態において、荷重センサ２０ａ〜２０ｄによって検出された着座荷重に関する第３荷重値を測定するとともに、姿勢測定部４０に前荷重比Ｚを着座姿勢として測定させる。
【０１６５】
そして、この例の全体重推定工程（例えば、図８のステップＳ３０７）では、全体重推定部４２は、第３荷重値と複数の指令値と姿勢測定部４０によって測定された使用者の着座姿勢とに基づいて、使用者の全体重を推定する。
【０１６６】
全体重推定部４２は、使用者識別工程（例えば、図８のステップＳ３０１）で識別された使用者の複数の推定値を記憶部３２から読み出し、その使用者の検量線ＣＣを複数の推定値から求める。
【０１６７】
この後、全体重推定部４２は、姿勢測定部４０で測定された前荷重比Ｚと検量線ＣＣとを基に、通常使用モードの着座荷重測定工程の時の使用者の着座姿勢に対応する距離Ｌ１を求める。
【０１６８】
全体重推定部４２は、着座荷重測定工程の時の距離Ｌ１を求めた後、上記の（１）式及び（２）式から算出した次の（５）式により、便座１４の回動軸部１４ｃにかかる荷重Ｆ３を推定する。  
Ｆ３＝（Ｆ２×Ｌ２−Ｆ１×Ｌ１−Ｆ２×Ｌ１）／（Ｌ１−Ｌ３）・・・（５）  
そして、全体重推定部４２は、上記の（１）式により、使用者の全体重に関する第４荷重値を推定する。
【０１６９】
このように、この例では、登録モードにおいて、全体重を推定するための複数の推定値を、使用者の複数の着座姿勢毎の着座荷重と全体重とに基づいて求めて記憶しているため、使用者の着座姿勢を考慮して、回動軸部１４ｃに分散する荷重を推定することができ、より正確な全体重を推定することができる。
【０１７０】
なお、この例では、着座荷重測定工程（第２工程）において、第１着座姿勢及び第２着座姿勢の２つの姿勢に基づく推定値を取得している。着座荷重測定工程においては、３つ以上の着座姿勢の推定値を取得してもよい。この場合、検量線ＣＣは、複数の推定値に基づく曲線状としてもよいし、複数の推定値に基づく近似直線としてもよい。着座荷重測定工程における着座姿勢の数（取得する推定値の数）は、少なくとも直線状の検量線ＣＣを生成可能な任意の数でよい。
【０１７１】
図１６は、推定値の計算方法の変形例を模式的に表す説明図である。  
図１５に表した例では、全体重推定値取得工程において、第１着座姿勢の時の距離Ｌ１ａと、第２着座姿勢の時の距離Ｌ１ｂと、を複数の推定値として取得し、距離Ｌ１ａ、Ｌ１ｂ及び前荷重比Ｚａ、Ｚｂを基に、前荷重比Ｚと距離Ｌ１との関係を表す検量線ＣＣを求めている。
【０１７２】
これに限ることなく、図１６に表したように、全体重推定値取得工程において、第１着座姿勢の時の回動軸部１４ｃの荷重Ｆ３ａと、第２着座姿勢の時の回動軸部１４ｃの荷重Ｆ３ｂと、を複数の推定値として取得し、荷重Ｆ３ａ、Ｆ３ｂ及び前荷重比Ｚａ、Ｚｂを基に、前荷重比Ｚと荷重Ｆ３との関係を表す検量線ＣＣを求めてもよい。
【０１７３】
荷重Ｆ３ａ、Ｆ３ｂは、上記の（１）式によって求めることができる。通常使用モードにおいては、姿勢測定部４０で測定された前荷重比Ｚと検量線ＣＣとを基に、通常使用モードの着座荷重測定工程の時の使用者の着座姿勢に対応する荷重Ｆ３を求める。これにより、上記の（１）式により、使用者の全体重に関する第４荷重値を推定することができる。従って、上記実施形態と同様に、使用者の着座姿勢を考慮して、回動軸部１４ｃに分散する荷重を推定することができ、より正確な全体重を推定することができる。
【０１７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座装置１０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１７５】
２ トイレ装置、  ４ 便器、  ６ 外部端末、  １０ 便座装置、  １２ 本体部、  １４ 便座、  １６ 便蓋、  １８ リモコン、  ２０ａ〜２０ｄ 荷重センサ、  ３０ 制御部、  ３２ 記憶部、  ３４ 送受信機、  ３６ 局部洗浄部、  ３８ ノズル、  ４０ 姿勢測定部、  ４２ 全体重推定部、  ４４ 計時部、  ４６ カウンタ、  ５０ 制御部、  ５２ 記憶部、  ５４ 送受信機、  ５６ 表示部、  ５８ スピーカ、  ６０ 操作部、  ６２ 使用者識別部、  ６４ 通信機
【図１】
2019168443.tif 000003
【図２】
2019168443.tif 000004
【図３】
2019168443.tif 000005
【図４】
2019168443.tif 000006
【図５】
2019168443.tif 000007
【図６】
2019168443.tif 000008
【図７】
2019168443.tif 000009
【図８】
2019168443.tif 000010
【図９】
2019168443.tif 000011
【図１０】
2019168443.tif 000012
【図１１】
2019168443.tif 000013
【図１２】
2019168443.tif 000014
【図１３】
2019168443.tif 000015
【図１４】
2019168443.tif 000016
【図１５】
2019168443.tif 000017
【図１６】
2019168443.tif 000018